(57)【要約】【課題】ダウンタイムの危険性を低減することができる放射線治療装置を提供する。【解決手段】被検体が移動可能に載置される寝台１０と、寝台１０上に載置された被検体Ｐの病変部に放射線を照射する放射線照射部２０と、寝台１０及び放射線照射部２０の点検を行うための点検スケジュールを予め設定された点検項目及びこの項目の点検頻度に基づいて作成する保守管理部３０とを備え、保守管理部３０は、作成した点検スケジュールに従う点検により得られた点検データが予め設定された許容誤差範囲内であり、且つ前記点検データに基づく管理データが許容誤差範囲に含まれる管理範囲から外れている場合に、前記点検データに対応する点検項目の点検頻度を高くした点検スケジュールに更新する。【選択図】図１
2010220896.tif 000002
【特許請求の範囲】
【請求項１】
被検体の病変部に放射線を照射して治療を行う放射線治療装置において、
前記被検体が移動可能に載置される寝台と、
前記寝台上に載置された前記被検体の病変部に放射線を照射する放射線照射手段と、
前記寝台及び前記放射線照射手段の点検を行うための点検スケジュールを予め設定された点検項目及びこの項目の点検頻度に基づいて作成し、作成した点検スケジュールに従う点検により得られた点検データが予め設定された許容誤差範囲内であり、且つ前記点検データに基づく管理データが管理範囲から外れている場合、前記点検データに対応する点検項目の点検頻度を高くした点検スケジュールに更新する保守管理手段とを
備えたことを特徴とする放射線治療装置。
【請求項２】
前記点検データを保存するデータ記憶手段を有し、
前記管理データは、前記点検データよりも以前に得られた時系列の点検データが新しい順に前記データ記憶手段から読み出され、前記点検データ及び読み出された点検データからなる複数の点検データの変化の傾向を表すデータであることを特徴とする請求項１に記載の放射線治療装置。
【請求項３】
前記管理範囲は、前記許容誤差範囲に含まれ、
前記管理データは、前記複数の点検データの平均で表される移動平均データであることを特徴とする請求項２に記載の放射線治療装置。
【請求項４】
前記管理データは、前記複数の点検データを回帰分析して求めた回帰式の傾きで表される傾きデータであることを特徴とする請求項２に記載の放射線治療装置。
【請求項５】
前記保守管理作成手段により作成された点検スケジュールを表示する表示手段を有し、
前記点検データが前記許容誤差範囲から外れている場合、その点検データに対応する点検項目の点検対象が異常であることを示す異常情報を、前記表示手段に表示するようにしたことを特徴とする請求項１に記載の放射線治療装置。
【請求項６】
前記保守管理作成手段により作成された点検スケジュールを表示する表示手段を有し、
前記管理データに対応する点検項目の点検対象が前記管理範囲から外れていることを示す警告情報を、前記表示手段に表示するようにしたことを特徴とする請求項３に記載の放射線治療装置。
【請求項７】
前記保守管理手段は、
前記点検データ及び前記管理データを保存するデータ記憶手段と、
前記データ記憶手段に保存された点検データ及び管理データを読み出し、読み出した点検データ及び管理データの時系列的変化を表す点検グラフ及び管理グラフを作成するグラフ作成手段とを有することを特徴とする請求項１に記載の放射線治療装置。
【発明の詳細な説明】
【技術分野】
【０００１】
本発明は、被検体に放射線を照射して治療を行う放射線治療装置に関する。
【背景技術】
【０００２】
放射線治療装置は、悪性腫瘍等の病変部に放射線を照射して治療を行う。この放射線治療装置では、病変部に放射線を照射して病変部周辺の正常組織の障害を最小限に抑えることが重要である。このため、放射線治療装置の精度を安定に保つための品質を保証するガイドラインが示されている（例えば、非特許文献１参照。）。
【０００３】
このガイドラインには、定期的に行う３０項目近くの点検項目があり、各点検項目の点検頻度は毎日、週毎、１ヶ月毎、６ヵ月毎、１年毎など様々である。このため、施設では、定期的に実施する各点検項目の点検日を記した点検表を作成する。そして、作成した点検表に従って各点検項目の点検を行っている。
【先行技術文献】
【非特許文献】
【０００４】
【非特許文献１】「外部放射線治療装置の保守管理プログラム」、日本放射線腫瘍学会研究調査委員会編
【発明の概要】
【発明が解決しようとする課題】
【０００５】
しかしながら、ガイドラインに沿って点検した場合でも点検後の故障により、例えば予期しないタイミングでインターロックがかかり治療を行うことができなくなる恐れがある。また、精度が低下して、病変部周辺の正常組織に放射線を照射しないように細心の注意を払う必要がある。
【０００６】
本発明は、上記問題点を解決するためになされたもので、品質の低下を低減することができる放射線治療装置を提供することを目的とする。
【課題を解決するための手段】
【０００７】
上記問題を解決するために、本発明の放射線治療装置は、被検体の病変部に放射線を照射して治療を行う放射線治療装置において、前記被検体が移動可能に載置される寝台と、前記寝台上に載置された前記被検体の病変部に放射線を照射する放射線照射手段と、前記寝台及び前記放射線照射手段の点検を行うための点検スケジュールを予め設定された点検項目及びこの項目の点検頻度に基づいて作成し、作成した点検スケジュールに従う点検により得られた点検データが予め設定された許容誤差範囲内であり、且つ前記点検データに基づく管理データが管理範囲から外れている場合、前記点検データに対応する点検項目の点検頻度を高くした点検スケジュールに更新する保守管理手段とを備えたことを特徴とする。
【発明の効果】
【０００８】
本発明によれば、予め設定された点検項目及び点検頻度に基づいて点検スケジュールを作成し、作成した点検スケジュールに従う点検により得られた点検データに基づく管理データが管理範囲から外れている場合に、得られた点検データに対応する点検項目の点検頻度を高くした点検スケジュールに更新することができる。これにより、品質の低下を低減することができる。
【図面の簡単な説明】
【０００９】
【図１】本発明の実施例に係る放射線治療装置の構成を示すブロック図。
【図２】本発明の実施例に係る寝台及び放射線照射部を示す側面図。
【図３】本発明の実施例に係る表示部に表示された点検スケジュールの一例を示す図。
【図４】本発明の実施例に係る放射線治療装置の動作を示すフローチャート。
【図５】本発明の実施例に係る表示部に表示された更新後の点検スケジュールを示す図。
【図６】本発明の実施例に係る表示部に表示されたグラフの一例を示す図。
【図７】本発明の実施例に係る表示部に表示されたグラフの他の例を示す図。
【発明を実施するための形態】
【００１０】
以下、本発明の実施例を説明する。
【実施例】
【００１１】
以下、本発明による放射線治療装置の実施例を、図１乃至図７を参照して説明する。
【００１２】
図１は、本発明の実施例に係る放射線治療装置の構成を示したブロック図である。この放射線治療装置１００は、被検体Ｐが移動可能に載置される寝台１０と、寝台１０上に載置された被検体Ｐに放射線の照射や、被検体Ｐを透過した放射線を検出して投影データの生成を行う放射線照射部２０と、放射線照射部２０で生成された投影データから画像データを生成する画像処理部２７とを備えている。
【００１３】
また、寝台１０及び放射線照射部２０を定期的に点検する点検スケジュールを作成して保守管理を行うための保守管理部３０と、被検体Ｐの放射線照射を行う病変部の位置合わせを行うための照合記録部４１と、保守管理部３０で作成された点検スケジュール等を表示する表示部４２とを備えている。
【００１４】
更に、寝台１０上に載置された被検体Ｐの放射線照射部２０への移動、放射線照射部２０で照射する放射線の照射条件の設定、種々のコマンドの入力等の操作を行う操作部４３と、寝台１０、放射線照射部２０、画像処理部２７、保守管理部３０、照合記録部４１、及び表示部４２の各ユニットを統括して制御するシステム制御部４４とを備えている。
【００１５】
寝台１０は、被検体Ｐが載置される天板１１と、この天板１１を上下方向、長手方向、及び幅方向に移動する移動機構１２とを備えている。そして、移動機構１２は、被検体Ｐが載置された天板１１を、被検体Ｐへの放射線の照射が可能な位置へ移動する。
【００１６】
放射線照射部２０は、図２に示すように、照射軸２３ａの方向に放射線を照射する架台２１と、照射軸２３ａにアイソセンタ２０ａで直交する仮想の水平な直線２３ｂを回転軸として、架台２１を矢印Ｒ１方向に回転可能に支持する支持体２２とを備えている。そして、架台２１は、放射線を照射する放射線発生部２３及び放射線発生部２３から照射された放射線を検出して投影データを生成する放射線検出部２６を備えている。
【００１７】
放射線発生部２３は、図２に示すように、放射線を発生する放射線源２４と、照射軸２３ａを回転軸として矢印Ｒ２方向に回転可能に支持され、放射線源２４からの放射線の照射野を被検体Ｐの病変部等に制限する複数のリーフを有するコリメータ２５とを備えている。
【００１８】
放射線源２４は例えばＸ線管を有し、被検体Ｐの病変部をアイソセンタ２０ａに合わせる位置合わせのための透視用のＸ線を天板１１上の被検体Ｐに照射する。また、アイソセンタ２０ａに位置合わせされた天板１１上の被検体Ｐの病変部に治療用のＸ線を照射する。なお、透視用のＸ線を照射するＸ線管及び被検体Ｐの治療を行うためのＸ線以外の放射線を照射する放射線源を設けるように実施してもよい。
【００１９】
放射線検出部２６は、放射線発生部２３から照射され、天板１１上の被検体Ｐを透過した透視用のＸ線を検出して投影データを生成する。また、放射線発生部２３の点検用の照射野に設定されたコリメータ２５を通過して照射されたＸ線を検出して点検用の投影データを生成する。そして、生成した投影データを画像処理部２７に出力する。
【００２０】
画像処理部２７は、放射線照射部２０における架台２１の放射線検出部２６から出力された被検体Ｐの投影データから画像データを生成する。そして、生成した画像データを照合記録部４１に出力する。また、放射線検出部２６から出力された点検用の投影データから画像データを生成し、生成した画像データから求められるコリメータ２５の各リーフの位置データで表される点検データを保守管理部３０に出力する。
【００２１】
保守管理部３０は、寝台１０及び放射線照射部２０の点検を行うための点検スケジュールの作成及び更新を行う点検スケジュール作成部３１と、放射線照射部２０における架台２１の放射線発生部２３から照射される放射線を計測する線量部３２と、点検スケジュール作成部３１で作成された点検スケジュールに従う点検により得られた点検データに基づいて点検スケジュール作成部３１で作成及び更新された点検スケジュールの管理を行う管理部３３とを備えている。
【００２２】
また、点検スケジュール作成部３１で作成された点検スケジュールに従う点検により得られた点検データを保存するデータ記憶部３４と、データ記憶部３４に保存された点検データを読み出して点検データの時系列的変化を表す点検グラフ等のグラフを作成するグラフ作成部３５とを備えている。
【００２３】
点検スケジュール作成部３１は、操作部４３から各点検項目の例えば点検開始日の入力操作が行われると、予め設定された点検項目及びこの項目の放射線治療装置１００が設置された施設の使用頻度に合わせて設定された点検頻度に基づいて、各点検項目の点検の予定日を設定した点検スケジュールを作成する。また、作成した点検スケジュールに含まれる点検頻度を高くした点検スケジュールに更新する。
【００２４】
線量部３２は、放射線を計測する手段である線量計を有し、点検スケジュール作成部３１で作成された点検スケジュールの点検項目に従う点検を行うために設けられている。そして、予め設定された校正用の照射条件に基づいて点検対象の放射線発生部２３から照射される校正用の放射線を計測する。次いで、校正用照射条件に基づく校正値に対する計測結果の百分率を求め、求めた百分率を点検データとして管理部３３に出力する。
【００２５】
管理部３３は、点検スケジュール作成部３１で作成された点検スケジュールの点検項目に従う点検により得られた点検データに基づいて、寝台１０及び放射線照射部２０の状態を判定する。
【００２６】
そして、線量部３２からの出力により得られた点検データに基づいて、例えば放射線発生部２３の放射線源２４が異常であるか否かを判定する。また、画像処理部２７からの出力により得られた点検データに基づいて、放射線発生部２３のコリメータ２５が異常であるか否かを判定する。更に、線量部３２や画像処理部２７以外からの出力により得られた点検データに基づいて、寝台１０や放射線照射部２０に含まれる各点検対象が異常であるか否かを判定する。
【００２７】
更に、操作部４３からの操作により点検用の回転角に設定された架台２１やコリメータ２５の角度を計測した計測データを、操作部４３から入力することにより得られた点検データに基づいて、支持体２２やコリメータ２５が異常であるか否かを判定する。また、操作部４３からの操作により点検用の位置に移動された天板１１の位置を計測した計測データを、操作部４３から入力することにより得られた点検データに基づいて、寝台１０が異常であるか否かを判定する。更に、操作部４３からの操作により寝台１０や放射線照射部２０の点検対象を計測した計測データを、操作部４３から入力することにより得られた点検データに基づいて、点検対象が異常であるか否かを判定する。
【００２８】
そして、得られた点検データが予め設定された許容誤差範囲から外れている場合、その点検データに対応する点検項目の寝台１０や放射線照射部２０の点検対象が異常であることを示す異常情報を、得られた点検データに付加してデータ記憶部３４に保存すると共に表示部４２に表示する。
【００２９】
また、得られた点検データが許容誤差範囲内である場合、その点検データ（最新データ）よりも以前に得られた時系列の（ｎ−１）個以上の点検データを新しい順にデータ記憶部３４から読み出す。次いで、最新データ及び読み出した点検データからなるｎ個のデータの変化の傾向を表す、例えばｎ個のデータの平均で表される移動平均データである管理データを算出する。
【００３０】
そして、算出した管理データが許容誤差範囲に含まれる予め設定された管理範囲内である場合、算出した管理データをデータ記憶部３４に保存する。また、算出した管理データが管理範囲から外れている場合、その管理データに対応する点検項目の点検対象が管理範囲から外れていることを示す警告情報を、算出した管理データに付加してデータ記憶部３４に保存すると共に表示部４２に表示する。
【００３１】
データ記憶部３４は、点検スケジュール作成部３１で作成された点検スケジュールの点検項目に従う点検により得られた点検データや算出した管理データを点検項目毎に時系列的に保存する。
【００３２】
グラフ作成部３５は、操作部４３からの期間及び点検項目を指定した後にグラフを表示させる操作により、指定された期間及び点検項目の点検データ及び管理データをデータ記憶部３４から読み出す。次いで、読み出した点検データ及び管理データの時系列的変化を表す点検グラフ及び管理グラフにより構成されるグラフを作成し、作成したグラフを表示部４２に表示する。
【００３３】
照合記録部４１は、Ｘ線診断装置、Ｘ線ＣＴ装置、ＭＲＩ装置等の画像診断装置からなる治療計画装置１１０から得られた被検体Ｐの病変部の位置や形状などに基づく治療計画データと、画像処理部２７から出力された画像データを照合して、位置合わせを行うために設けられている。
【００３４】
表示部４２は、液晶パネルやＣＲＴなどのモニタを備え、画像処理部２７で生成された被検体Ｐの画像データ及び治療計画装置１１０から得られた被検体Ｐの治療計画データを表示する。また、保守管理部３０の点検スケジュール作成部３１で作成された点検スケジュールや更新された点検スケジュールを表示する。更に、保守管理部３０の管理部３３から出力された警告情報や異常情報を表示する。更にまた、保守管理部３０のグラフ作成部３５で作成されたグラフ等を表示する。
【００３５】
操作部４３は、ボタン、スイッチ、キーボード、マウス等の入力デバイス及び表示パネルを備えている。そして、被検体Ｐの治療を行うための照射条件の設定、点検により得られた点検データの入力、天板１１の移動、種々のコマンドの入力等の操作を行う。
【００３６】
システム制御部４４は、ＣＰＵ及び記憶回路を備え、操作部４３から入力された情報を記憶回路に保存する。そして、入力された情報に基づいて、寝台１０、放射線照射部２０、画像処理部２７、保守管理部３０、照合記録部４１、及び表示部４２の各ユニットの制御や、システム全体の制御を行なう。
【００３７】
以下、図１乃至図７を参照して、放射線治療装置１００の保守管理を行う動作の一例を説明する。図３は、表示部４２に表示された点検スケジュールの一例を示す図である。図４は、放射線治療装置１００の動作を示すフローチャートである。図５は、表示部４２に表示された更新後の点検スケジュールを示す図である。図６は、表示部４２に表示されたグラフの一例を示す図である。図７は、表示部４２に表示されたグラフの他の例を示す図である。
【００３８】
放射線治療装置１００が据付けられた後、操作部４３から寝台１０及び放射線照射部２０の点検開始日の入力操作が行われると、保守管理部３０の点検スケジュール作成部３１は、点検スケジュールを作成して内部に保存する。
【００３９】
このように、予め設定された点検項目及びこの項目の点検頻度に基づいて点検スケジュールを作成することができる。
【００４０】
その後、例えば４月２６日に点検の予定日を確認するために操作部４３から例えば１月５日以降の期間における点検スケジュールを表示させる操作が行われると、点検スケジュール作成部３１は作成した１月５日以降の点検スケジュールを表示部４２に表示する。
【００４１】
図３は、表示部４２に表示された点検スケジュールの一例を示した図である。この点検スケジュール５０は、点検項目を識別する項目番号が表示された「番号」の欄と、この「番号」の欄に表示された項目番号に対応する点検項目が表示された「項目」の欄と、「項目」の欄に表示された点検項目の許容誤差範囲が表示された「許容誤差」の欄とにより構成される。
【００４２】
また、「許容誤差」の欄に表示された許容誤差範囲に含まれる管理範囲が表示された「管理」の欄と、「項目」の欄における点検項目の点検頻度が表示された「頻度」の欄と、この「頻度」の欄に表示された点検頻度に基づく定期的な点検日が表示された「点検日」の欄とにより構成される。
【００４３】
以下では、放射線発生部２３の放射線源２４等の点検を行うために、「番号」の欄の項目番号である例えば「１．１．」に対応する「項目」の欄の点検項目である「校正」の例を説明する。
【００４４】
「項目」の欄の「校正」に対応する「許容誤差」の欄には許容誤差範囲である「±２％」が表示され、「管理」の欄には管理範囲である「±０．７％」が表示されている。また、「頻度」の欄には、点検を１週間に１回行う点検頻度である「１週」が表示されている。
【００４５】
更に、「点検日」の欄には、「頻度」の欄の「１週」に基づき設定された点検日の内、４月２６日までに点検が実施された日である例えば１月５日を示す「１／５」、１月１２日を示す「１／１２」、・・・、４月２０日を示す「４／２０」が「●」で記されている。また、４月２７日以降に点検が予定されている日である４月２７日を示す「４／２７」、５月４日を示す「５／４」、・・・、５月１８日を示す「５／１８」等の点検予定日が点検実施日に識別して「○」で記されている。
【００４６】
このように、作成した点検スケジュール５０を表示部４２に表示することができる。これにより、各点検項目の点検予定日を容易に確認することができる。
【００４７】
点検スケジュール５０から点検予定日の確認後、４月２７日に操作部４３から放射線発生部２３の点検を行うための操作が行われると、放射線治療装置１００は保守管理を行うための動作を開始する（ステップＳ１）。
【００４８】
システム制御部４４は、寝台１０、放射線照射部２０、画像処理部２７、保守管理部３０、照合記録部４１、及び表示部４２に保守管理を指示する。放射線発生部２３は、校正用の放射線を照射する。線量部３２は、放射線発生部２３から照射された校正用の放射線を計測して、その計測結果である点検データを管理部３３に出力する。管理部３３は、線量部３２から得られた点検データを用いて、放射線源２４等が異常であるか否かを判定する。
【００４９】
そして、得られた点検データが許容誤差範囲内である場合（ステップＳ２のはい）、その点検データ（最新データ）をデータ記憶部３４に保存すると共に、最新データよりも以前に得られた時系列の点検データを新しい順にデータ記憶部３４から読み出す。そして、最新データ及び読み出した点検データから管理データを算出する（ステップＳ３）。
【００５０】
また、最新データが許容誤差範囲から外れている場合（ステップＳ２のいいえ）、最新データに対応する点検項目により点検された放射線源２４等が異常であることを示す異常情報を、最新データに付加してデータ記憶部３４に保存すると共に表示部４２に表示する（ステップＳ４）。
【００５１】
このように、異常情報を表示部４２に表示することにより、点検対象の状態を容易に把握することができる。
【００５２】
ステップＳ３の後に、算出した管理データが管理範囲から外れている場合（ステップＳ５のいいえ）、算出した管理データに警告情報を付加してデータ記憶部３４に保存すると共に表示部４２に表示する（ステップＳ６）。
【００５３】
このように、警告情報を表示部４２に表示することにより、点検対象の状態を容易に把握することができる。
【００５４】
また、算出した管理データが管理範囲内である場合（ステップＳ５のはい）、算出した管理データをデータ記憶部３４に保存する。
【００５５】
ステップＳ６の後に、点検スケジュール作成部３１は、点検スケジュール５０を最新データに対応する点検項目の点検頻度を高くした点検スケジュールに更新する。そして、表示部４２に更新後の点検スケジュールを表示する（ステップＳ７）。
【００５６】
図５は、表示部４２に表示された更新後の点検スケジュールを示した図である。この点検スケジュール５０ａが、図３に示した点検スケジュール５０と異なる点は、「項目」の欄の「校正」に対応する「点検日」の欄の管理データが管理範囲から外れた次の日以降の点検頻度を、「頻度」の欄の「１週」よりも高くした例えば点検を５日に１回行う点検頻度に更新している点である。
【００５７】
「点検日」の欄には、管理データが管理範囲を外れた次の日以降の点検予定日である４月２７日から５日後の５月２日を示す「５／２」、この日から５日後の５月７日を示す「５／７」、この日から５日後の５月１２日を示す「５／１２」等が点検実施日及び更新前の点検予定日と識別して「△」で記されている。
【００５８】
このように、算出した管理データが管理範囲から外れている場合に、その点検日以降の点検予定日の点検頻度を高くした点検スケジュール５０ａに更新し、更新後の点検スケジュール５０ａを表示部４２に表示することができる。これにより、更新後の点検項目の点検予定日を容易に確認することができる。そして、更新後の点検スケジュール５０ａに従う点検により、点検対象の異常を早期に発見することが可能となり、品質の低下を低減することができる。
【００５９】
ここで、ステップＳ７の後に、操作部４３から１月５日から最新の点検実施日までの「校正」のグラフを表示させる操作が行われると、グラフ作成部３５は、データ記憶部３４に保存された点検データの内、「校正」の１月５日から最新の実施日である４月２７日までの点検データ及び管理データを読み出してグラフを作成する。そして、作成したグラフを表示部４２に表示する。
【００６０】
図６は、表示部４２に表示されたグラフの一例を示した図である。このグラフ６０は、横軸が「点検日」を示し、「誤差（％）」を示す点検グラフ６１及び管理グラフ６２により構成される。
【００６１】
点検グラフ６１は、図５に示した点検スケジュール５０ａにおける「点検日」の欄の「１／５」から「４／２７」までの点検データが時系列的に表されたものである。この点検グラフ６１では、横軸の「４／２７」における点検データが０．８％を示していることから、点検スケジュール５０ａの「項目」の欄の「校正」に対応する「許容誤差」の欄の許容誤差範囲である「±２％」の範囲内に入っていることが分かる。
【００６２】
管理グラフ６２は、点検スケジュール５０ａにおける「点検日」の欄の「１／５」から「４／２７」までの管理データが時系列的に表されたものである。また、各管理データは、例えば各点検日の点検データ及びこの点検データよりも過去の時系列データからなるｎ個（ｎは２以上の整）の点検データの移動平均で表わされたものである。
【００６３】
なお、ｎ個の点検データを例えば回帰分析して求めた回帰式の傾きで表される傾きデータを管理データとして用いるように実施してもよい。この場合の管理範囲は許容誤差範囲には含まれず、所定の上限値を設けた管理範囲が設定される。
【００６４】
管理グラフ６２では、横軸の「４／２７」における例えばｎが５である場合の管理データが０．７２％を示していることから、点検スケジュール５０ａの「項目」の欄の「校正」に対応する「管理」の欄の「±０．７％」の上限値から外れていることが分かる。このため、４月２７日以降の点検頻度が高められることになる。
【００６５】
このように、点検グラフ及び管理データを表示部４２に表示することができる。これにより、点検対象の変化の傾向を容易に把握することができる。
【００６６】
なお、図７に示すように、点検グラフ６１に対して「４／２７」における点検データが異なるだけの点検グラフ６１ａの点検データが例えば０．６％を示していると、この点検グラフ６１ａに応じて作成される管理グラフ６２ａの「４／２７」における管理データが管理範囲内に入る０．６８％を示す。この場合、４月２７日以降の点検予定日は、点検スケジュール５０の「点検日」の欄の点検予定日は更新されずに、「５／４」、「５／１１」等となる。
【００６７】
ステップＳ４、又はステップＳ５の「はい」、又はステップＳ７の後に、操作部４３から点検終了の操作が行われると、システム制御部４４が寝台１０、放射線照射部２０、画像処理部２７、保守管理部３０、照合記録部４１、及び表示部４２に保守管理の終了を指示することにより、放射線治療装置１００は保守管理の動作を終了する（図４のステップＳ８）。
【００６８】
以上述べた本発明の実施例によれば、予め設定された点検項目この項目の点検頻度に基づいて点検スケジュールを作成し、作成した点検スケジュール５０を表示部４２に表示することができる。これにより、各点検項目の点検予定日を容易に確認することができる。
【００６９】
そして、点検スケジュール５０に従う点検により得られた点検データが許容範囲から外れている場合、その点検データに対応する点検項目の点検対象が異常であることを示す異常情報を表示部４２に表示することができる。これにより、点検対象の状態を容易に把握することができる。
【００７０】
また、得られた点検データが許容範囲内であり、且つ算出した管理データが管理範囲から外れている場合、その管理データに対応する点検項目の点検対象が管理範囲から外れていることを示す警告情報を表示部４２に表示することができる。これにより、点検対象の状態を容易に把握することができる。
【００７１】
また、得られた点検データが許容範囲内であり、且つ算出した管理データが管理範囲から外れている場合、算出した管理データに対応する点検項目の点検頻度を高くした点検スケジュール５０ａに更新し、更新後の点検スケジュール５０ａを表示部４２に表示することができる。これにより、更新後の点検項目の点検予定日を容易に確認することができる。
【００７２】
また、点検グラフ及び管理データを表示部４２に表示することができる。これにより、点検対象の変化の傾向を容易に把握することができる。
【００７３】
更に、更新後の点検スケジュール５０ａに従う点検により、点検対象の異常を早期に発見することが可能となり、品質の低下を低減することができる。
【符号の説明】
【００７４】
Ｐ  被検体
１０  寝台
１１  天板
１２  移動機構
２０  放射線照射部
２０ａ  アイソセンタ
２１  架台
２２  支持体
２３  放射線発生部
２３ａ  照射軸
２３ｂ  直線
２６  放射線検出部
２７  画像処理部
３０  保守管理部
３１  点検スケジュール作成部
３２  線量部
３３  管理部
３４  データ記憶部
３５  グラフ作成部
４１  照合記録部
４２  表示部
４３  操作部
４４  システム制御部
１００  放射線治療装置
１１０  治療計画装置
【図１】
2010220896.tif 000003
【図２】
2010220896.tif 000004
【図３】
2010220896.tif 000005
【図４】
2010220896.tif 000006
【図５】
2010220896.tif 000007
【図６】
2010220896.tif 000008
【図７】
2010220896.tif 000009